(57)【要約】【課題】  実スイープの間隔に関わらず、隣り合う実スイープ間の補間スイープを形成して、スイープ１回転の画像データを確実に更新することができるレーダ装置を提供する。【解決手段】  スイープ方位発生部１２は、今回の実スイープ方位と前回の実スイープ方位とに基づいて、この間を補間する補間スイープの方位を発生して描画アドレス発生部７に出力する。スイープデータ発生部１１は、スイープメモリ４から読み出した今回の実スイープデータの孤立除去データと記憶していた前回の孤立除去実スイープデータとに基づいて線形補間処理を行い、これらの実スイープ間の補間スイープデータを発生し、画像メモリ８に出力する。画像メモリ８は、描画アドレス発生部７からの実スイープ方位および補間スイープ方位に基づいて、孤立除去実スイープデータまたは補間スイープデータを記憶するとともに、ラスター走査に従い表示器９に出力する。【選択図】  図１
2005077213.tif 000002
【特許請求の範囲】
【請求項１】
アンテナで受信した探知信号に基づいて順次形成される実スイープデータと、方位方向に隣り合う前記実スイープデータ間を補間する補間スイープデータとにより探知画像データを形成するレーダ装置および類似装置において、
今回の実スイープのスイープ方位と前回の実スイープのスイープ方位とを用いて、これらの実スイープ間に形成する補間スイープのスイープ方位を算出する補間スイープ方位算出手段と、
今回の実スイープデータと前回の実スイープデータとを用いて、これら実スイープデータ間の補間スイープデータを算出し、該算出された補間スイープデータと前記実スイープデータとを用いてスイープデータを形成するスイープデータ形成手段を備えることを特徴とするレーダ装置および類似装置。
【請求項２】
前記補間スイープデータは、スイープの距離方向の同一位置にある前回の実スイープデータと今回の実スイープデータとの線形補間値からなる請求項１に記載のレーダ装置および類似装置。
【請求項３】
前記スイープデータ形成手段は、
前記実スイープデータの距離方向に並ぶ複数のデータのうち、所定範囲内に所定閾値以上のデータが単独で存在する場合に、該単独のデータを変換して補正実スイープデータを形成する補正スイープデータ形成手段と、
該補正実スイープデータ形成手段で形成された補正実スイープデータを用いて補正補間スイープデータを算出する補正補間スイープデータ算出手段とを備え、
前記補正実スイープデータと前記補正補間スイープデータとを用いて前記スイープデータを形成する請求項１または請求項２に記載のレーダ装置および類似装置。
【請求項４】
アンテナで受信した探知信号に基づいて順次形成される実スイープデータと、方位方向に隣り合う前記実スイープデータ間を補間する補間スイープデータとにより探知画像データを形成するレーダ装置および類似装置において、
前記実スイープデータの距離方向に並ぶ複数のデータのうち、所定範囲内に所定閾値以上のデータが単独で存在する場合に、該単独のデータを変換して補正実スイープデータを形成する補正スイープデータ形成手段と、
該補正実スイープデータ形成手段で形成された補正実スイープデータを用いて補正補間スイープデータを算出する補正補間スイープデータ算出手段とを備え、
前記補正実スイープデータと前記補正補間スイープデータとを用いてスイープデータを形成することを特徴とするレーダ装置および類似装置。
【請求項５】
アンテナで受信した探知信号に基づいて順次形成される実スイープデータと、方位方向に隣り合う前記実スイープデータ間を補間する補間スイープデータとにより探知画像データを形成するレーダ装置および類似装置のスイープデータ形成方法であって、
今回の実スイープのスイープ方位と前回の実スイープのスイープ方位とを用いて、これらの実スイープ間に形成する補間スイープのスイープ方位を算出するとともに、
今回の実スイープデータと前回の実スイープデータとを用いて、これら実スイープデータ間の補間スイープデータを算出し、
該算出された補間スイープデータと前記実スイープデータと前記スイープ方位とに基づいて前記スイープデータを形成することを特徴とするレーダ装置および類似装置のスイープデータ形成方法。
【請求項６】
アンテナで受信した探知信号に基づいて順次形成される実スイープデータと、方位方向に隣り合う前記実スイープデータ間を補間する補間スイープデータとにより探知画像データを形成するレーダ装置および類似装置のスイープデータ形成方法であって、
前記実スイープデータの距離方向に並ぶ複数のデータのうち、所定範囲内に所定閾値以上のデータが単独で存在する場合に、該単独のデータを変換して補正実スイープデータを形成するとともに、
該補正実スイープデータを用いて補正補間スイープデータを算出し、
前記補正実スイープデータと前記補正補間スイープデータとを用いて前記スイープデータを形成することを特徴とするレーダ装置および類似装置のスイープデータ形成方法。
【発明の詳細な説明】
【技術分野】
【０００１】
この発明は、アンテナで受信した探知信号に基づいて、全周囲の探知画像データを形成して表示するレーダ装置、およびその類似装置に関するものである。
【背景技術】
【０００２】
舶用のレーダ装置は、レーダアンテナから電波を送信し、物標に反射して得られた探知信号から極座標系のスイープデータを形成し、直交座標系に変換して画像メモリに記憶した後、ラスター走査方式で表示器に表示する。
このような従来のレーダ装置について図を参照して説明する。
図１４は、従来のレーダ装置の主要部の構成を表すブロック図である。
アンテナ１は、所定回転周期で水平面を回転しながら、所定送信周期でパルス状電波を外部に送信するとともに、物標で反射した電波を極座標系で受信して、受信部２にこの受信信号を出力する。また、アンテナ１は、加算器５に船首方向を基準としたアンテナ相対方位θa を出力する。受信部２は、アンテナ１からの受信信号を検波して増幅し、ＡＤ変換部３に出力する。ＡＤ変換部３は、このアナログ形式の受信信号を複数ビットからなるディジタル信号（受信データ）に変換する。第１、第２スイープメモリ４ａ，４ｂは、それぞれ、ディジタル変換された１スイープ分の受信データを実時間で記憶し、次の送信により得られる受信データが再び書き込まれるまでに、この１スイープ分のデータを画像メモリ８に出力する。
【０００３】
加算器５は、アンテナ１から入力されたアンテナ相対方位θa と、コンパス２０で観測された船首方位θc とを加算して、ノースアップ表示用スイープ方位θ＝θa ＋θc を算出して、ラッチ回路６に出力する。なお、ノースアップ表示を行う場合には、前記加算器５で加算を行うが、ヘッドアップ表示を行う場合には、加算を行わず、ラッチ回路６には、アンテナ１からのアンテナ相対方位θa が直接入力される。ラッチ回路６は、入力されたスイープ方位θをスイープ開始とともにラッチすることで、第１、第２スイープメモリ４ａ，４ｂから受信データ（実スイープデータ）を読み出し、画像メモリ８に書き込む間に、スイープ方位が変化することを防止する。
【０００４】
描画アドレス発生部７は、スイープの中心を開始番地として、中心から周囲に向かってスイープ方位θと第１、第２スイープメモリ４ａ，４ｂの読み出し位置ｒから、対応する直交座標系で配列された画像メモリ８の画素を指定する番地を作成する。この描画アドレス発生部７は、具体的には次式を実現するハードウェアにより構成される。
Ｘ＝Ｘｓ＋ｒ・ｓｉｎθ
Ｙ＝Ｙｓ＋ｒ・ｃｏｓθ
ただし、
Ｘ，Ｙ：画像メモリの画素を指定する番地
Ｘｓ，Ｙｓ：スイープの中心番地
ｒ：中心からの距離
θ：スイープ方位
描画タイミング発生部１０は、描画に必要な制御信号を発生し、スイープメモリ４、ラッチ回路６、描画アドレス発生部７，画像メモリ８に出力する。
【０００５】
画像メモリ８は、スイープ１回転分の受信データを画像データとして記憶する容量を備える。この画像メモリ８では、図示されていない表示制御部により、表示器９がラスター走査されると、このラスター走査に同期して画像データが読み出され、表示器９に出力される。ここで、画像データの各画素データのデータ値に応じて、輝度または表示色を異ならせることにより、オペレータは自船周囲の物標等の状況が確認できる（例えば、特許文献１参照。）。
【特許文献１】特開２０００−１４７０８８公報
【発明の開示】
【発明が解決しようとする課題】
【０００６】
このような従来のレーダ装置では、前回のスイープ１回転で得られた画像データと今回のスイープ１回転で得られた画像データとが混在することを防止するため、スイープ１回転で画像メモリ８の画像データの更新が行われることが必要である。
【０００７】
ところで、スイープの回転速度、すなわちアンテナの回転速度は、通常１２ｒｐｍ〜６０ｒｐｍであるが、アンテナ１回転中においても、風による空気抵抗等で回転速度が変化することがある。一方、電波の送信周波数（送信繰り返し周波数）は、通常、数百ｋｚ〜数千ｋｚの範囲で、主に探知レンジ（探知距離）により設定される所定周波数で一定であり、近距離探知範囲であれば前記周波数を高くし、遠距離探知範囲であれば前記周波数を低く設定している。
【０００８】
また、画像メモリ８の１画素に対するスイープデータの密度は、中心から遠ざかるほど低くなる。このため、電波の１回の送信に対して得られるスイープデータだけを画像メモリ８に書き込む場合で、且つアンテナの回転速度が速く、送信周波数が低い場合では、中心付近の画素データは更新できても、距離方向に離れた位置の画素データは更新できず、結果として、アンテナ１回転で画像メモリの全画素データを更新することができなくなるという問題が生じる。
【０００９】
このため、図１５のタイミングチャートに示すように、送信回数よりも多くのスイープを連続的に発生して画像メモリの描画を行っている。すなわち、画像メモリの更新は、送信によるスイープメモリの更新とは無関係に、その時点のアンテナ方位または、アンテナ方位とコンパス方位との加算方位によりスイープ方向を決定し、スイープメモリの内容を画像メモリに書き込む。通常は、送信周期に比べて１スイープ分の描画に要する時間を十分に短くし、あるスイープ方位の書き込みが終了すれば、再びその時点のスイープ方位を決定し、画像メモリを更新する動作を繰り返すことにより実行している。
【００１０】
すなわち、受信信号により直接得られるスイープデータ（以下、これを「実スイープデータ」という。）と、隣り合う実スイープデータ間を補間するスイープデータ（以下、これを「補間スイープデータ」という。）とを用いて、画像メモリ８の各画素データを更新する。この場合、補間スイープデータは直前にスイープメモリ４に記憶された実スイープデータと同じデータを用いる。
【００１１】
このようなレーダ装置で方位を安定させたノースアップ表示を行う場合、コンパスによる船首方位θc は、船の針路が急激に変化すると変化量が大きくなるので、実スイープ間の角度が広がって、補間スイープが形成できなくなってしまう。図１５は従来のレーダ装置のタイミングチャートであり、スイープ方位θn+1 に続きθn+3 となっており、スイープ方位θn+2 の補間スイープが生成できない。例えば、このような船首方位θc の変化は荒天下で小型船が波に叩かれた場合に生じる。
【００１２】
また、船首方位θc は、通常アナログデータからディジタルデータに変換して加算器に入力させるが、この変換周期が長い場合にも連続する船首方位θc の間隔が広くなってしまう。すなわち、実スイープの間隔が広くなってしまう。
【００１３】
このように、スイープ１回転で画像メモリを更新するのに必要な実スイープの間隔が広くなってしまうと、補間スイープを全て形成することができない。図１６は画像データのスイープ構成図であり、太線矢印は実スイープを、細線矢印は補間スイープを表し、ハッチング部はスイープが形成されていない領域を表す。この図に示すように、前述のような状態では部分的にスイープデータが更新されず前回のスイープ１回転時の画像データが残ってしまう。
【００１４】
また、前述の従来のレーダ装置では、実スイープデータとこれに基づいた補間スイープデータとが同じデータ値であるので、表１に示すように、データ値が急激に変化する。
【００１５】
【表１】
2005077213.tif 000003
【００１６】
例えば、「Ｂ＝６」、「Ｃ＝０」であれば、方位がθn+1 からθn+3 に変化する位置で、スイープデータが「６」から「０」に急激に変化する。
【００１７】
一方、図１７（ａ）は実スイープデータのみを数値化した場合の画像データ構成図であり、図１７（ｂ）は（ａ）に示した数値に基づいて輝度を変化させた画像構成図である。また、図１７（ｃ）は従来例の画像メモリ８の各画素データを数値化した画像データ構成図であり、図１７（ｄ）は（ｃ）に示した数値に基づいて輝度を変化させた画像構成図である。なお、図１７では、画素の濃度が濃くなるほど輝度が高くなることを表している。この図に示すように、従来のレーダ装置では物標検知データのエッジ（端部）が急激に変化することとなる。
【００１８】
例えば、図１７のＡ部に示すように、実スイープθm は「６」であり、実スイープθn は「０」である場合に、この間の補間スイープは全て「６」になるため、補間スイープと実スイープθn との間で、急に画素データ値が「６」から「０」変化してし、画像端部が急激に切れた映像が表示されてしまう。
【００１９】
また、他の例として、図１８（ａ）は実スイープデータのみを数値化した場合の画像データ構成図であり、図１８（ｂ）は（ａ）に示した数値に基づいて輝度を変化させた画像構成図である。また、図１８（ｃ）は従来例の画像メモリ８の各画素データを数値化した画像データ構成図であり、図１８（ｄ）は（ｃ）に示した数値に基づいて輝度を変化させた画像構成図である。なお、図１８でも、画素の濃度が濃くなるほど輝度が高くなることを表している。
図１８に示すように、距離方向に不連続に存在するノイズのような画像データが実スイープデータに存在する場合、これに続く補間スイープデータも同じ画像データとなるので、ノイズが方位方向に強調表示されてしまう。
【００２０】
さらに、連続する実スイープの距離方向の同じ位置にノイズが存在すると、ノイズはさらに方位方向に拡大強調されてしまい、表示器に円弧状の画像がランダムに表示される。特に、ゲインをあげることにより、方位方向に隣り合う実スイープ間で距離方向に同一位置にノイズが存在する可能性は大きくなるので、円弧状のランダム画像が表示されやすくなる。また、スイープ間の方位方向の距離は、中心から離れるに従い長くなるので、中心から遠い位置ほど円弧状の画像が強調されやすく不自然な画像が表示されやすくなる。
【００２１】
さらには、近年、高速船の探知を行うために、アンテナの回転周期を短くすることが要求されているが、電波送信周波数は、電波送信部の特性上、周波数に上限が存在する。このため、アンテナの回転周期が短くなくなるだけで、電波の送信周波数が殆ど変化しないので、実スイープ間の角度が大きくなってしまい、円弧状の画像がさらに目立って表示されることとなる。
【００２２】
この発明の目的は、実スイープの間隔に関わらず、隣り合う実スイープ間の補間スイープを形成して、スイープ１回転の画像データを確実に更新することができるレーダ装置および類似装置を提供することにある。
【００２３】
また、この発明の他の目的は、ノイズを強調せず、物標の端の画像が急激に変化しない、視認性に優れるレーダ装置および類似装置を提供することにある。
【課題を解決するための手段】
【００２４】
この発明は、アンテナで受信した探知信号に基づいて順次形成される実スイープデータと、方位方向に隣り合う実スイープデータ間を補間する補間スイープデータとにより探知画像データを形成するレーダ装置および類似装置において、今回の実スイープのスイープ方位と前回の実スイープのスイープ方位とを用いて、これらの実スイープ間に形成する補間スイープのスイープ方位を算出する補間スイープ方位算出手段と、今回の実スイープデータと前回の実スイープデータとを用いて、これらの実スイープデータ間の補間スイープデータを算出し、該算出された補間スイープデータと実スイープデータとを用いてスイープデータを形成するスイープデータ形成手段を備えることを特徴としている。
【００２５】
この構成では、今回の実スイープデータが入力された時点から、前回の実スイープデータと今回の実スイープデータとの間の補間スイープデータのスイープ方位が算出されるとともに、このスイープ方位毎の補間スイープデータが形成されるので、実スイープ間の角度が変化しても、隣り合う実スイープ方位の間隔に応じて、最適な本数および方位の補間スイープデータが形成される。
【００２６】
また、この発明は、補間スイープデータを、スイープの距離方向の同一位置にある前回の実スイープデータと今回の実スイープデータとの線形補間値で形成することを特徴としている。
【００２７】
この構成では、補間スイープデータが隣り合う二つの実スイープデータの線形補間値となるため、例えば、実スイープデータの一方が「６」であり、他方が「３」であった場合でこれらの実スイープ間に形成する補間スイープの本数が２本であった場合、実スイープデータ「６」に近い側の補間スイープデータは「５」になり、実スイープデータ「３」に近い側の補間スイープデータは「４」になる。このため、この数値に応じて輝度を設定して表示する場合、数値「６」に対する輝度から数値「３」に対する輝度に急激に変化せず、これらの途中値「５」、「４」にそれぞれ対応する輝度で補間スイープデータが表示される。すなわち、隣り合う実スイープデータ間の輝度差が小さく、細かく段階的に輝度が変化する。
【００２８】
また、この発明は、スイープデータ形成手段に、実スイープデータの距離方向に並ぶ複数のデータのうち、所定範囲内に所定閾値以上のデータが単独で存在する場合に、該単独のデータを変換して補正実スイープデータを形成する補正実スイープデータ形成手段と、該補正実スイープデータ形成手段で形成された補正実スイープデータを用いて補正補間スイープデータを算出する補正補間スイープデータ算出手段とを備え、補正実スイープデータと補正補間スイープデータとを用いてスイープデータを形成することを特徴としている。
【００２９】
また、この発明は、アンテナで受信した探知信号に基づいて順次形成される実スイープデータと、方位方向に隣り合う前記実スイープデータ間を補間する補間スイープデータとにより探知画像データを形成するレーダ装置および類似装置において、実スイープデータの距離方向に並ぶ複数のデータのうち、所定範囲内に所定閾値以上のデータが単独で存在する場合に、該単独のデータを変換して補正実スイープデータを形成する補正スイープデータ形成手段と、該補正実スイープデータ形成手段で形成された補正実スイープデータを用いて補正補間スイープデータを算出する補正補間スイープデータ算出手段とを備え、補正実スイープデータと補正補間スイープデータとを用いてスイープデータを形成することを特徴としている。
【００３０】
これらの構成では、ノイズのように距離方向に不連続なデータを、例えば、スイープの距離方向に隣り合う実スイープデータの小さい方に一致させることで、不連続に突出するスイープデータを補正して実スイープデータのノイズの影響を抑制する。さらに、補正された実スイープデータと隣り合う実スイープデータとの間の補間スイープデータは、不連続なデータを含む実スイープデータではなく実スイープデータに基づいて算出され、補間スイープデータに対するノイズの影響も抑制される。例えば、距離方向に不連続なデータが「６」であり、これに距離方向に隣り合う実スイープデータがともに「０」であった場合、この実スイープデータは「０」に補正される。そして、この実スイープに隣り合う実スイープの距離方向に同位置のデータが「０」であったならば、この間の補間スイープデータの距離方向に同位置のデータは、「０」になる。これにより、距離方向に不連続なデータ（ノイズ）による補間スイープデータへの影響が防止され、不必要に強調されたノイズ画像が画像表示されない。
【発明の効果】
【００３１】
この発明によれば、隣り合う実スイープデータの間隔に応じて、最適な本数で間隔の補間スイープデータが形成されることにより、スイープ１回転分の探知画像データを確実に更新して表示することができる。
【００３２】
また、この発明によれば、補間スイープデータが隣り合う二つの実スイープデータの線形補間値となるため、探知画像の隣り合う実スイープ部分がデータに強度差があっても急激に変化せず、段階的に変化する表示を行うことができる。これにより、オペレータに見やすい画像を表示することができる。
【００３３】
また、この発明によれば、スイープの距離方向に不連続なデータを、補間スイープデータの算出に反映させないことにより、不必要にノイズが強調された探知画像データが形成されない。
【発明を実施するための最良の形態】
【００３４】
本発明の実施形態に係るレーダ装置について、図を参照して説明する。
図１は本実施形態に係るレーダ装置の主要部の構成を表すブロック図である。
アンテナ１は、所定回転周期で水平面に回転しながら、所定送受信周期でパルス状電波を外部に送信するとともに、物標で反射した電波を極座標系で受信して、受信部２に出力し、加算器５に船首方向を基準としたアンテナ想定方位θa を出力する。受信部２は、アンテナ１からの受信信号を検波して増幅し、ＡＤ変換部３に出力する。ＡＤ変換部３は、このアナログ形式の受信信号を複数ビットからなるディジタル信号（受信データ）に変換する。
【００３５】
スイープメモリ４は、第１スイープメモリ４ａと第２スイープメモリ４ｂとからなり、一方のスイープメモリに受信データの書き込み（記憶）を行っている間に、他方のスイープメモリからデータの読み出しが行われる。第１、第２スイープメモリ４ａ，４ｂは、それぞれ、ディジタル変換された１スイープ分の受信データ（実スイープデータ）を実時間で記憶し、次の送信により得られる受信データ（実スイープデータ）が再び書き込まれるまでに、この実スイープデータを画像メモリ８に出力する。
【００３６】
加算器５は、アンテナ１から入力されたアンテナ相対方位θa と、コンパス２０で観測された船首方位θc とを加算して、ノースアップ表示用スイープ方位θ＝θa ＋θc を算出して、ラッチ回路６に出力する。なお、ノースアップ表示を行う場合には、前記加算器５で加算を行うが、ヘッドアップ表示を行う場合には、加算を行わず、ラッチ回路６には、アンテナ１からのアンテナ相対方位θa が直接入力される。
【００３７】
ラッチ回路６は、入力されたスイープ方位θ、またはθa をスイープ開始とともにラッチし、スイープ方位発生部１２およびスイープデータ発生部１１に実スイープ方位として出力する。ラッチ回路６でスイープ方位をラッチすることにより、第１、第２スイープメモリ４ａ，４ｂから実スイープデータを読み出し、画像メモリ８に書き込む間に、スイープ方位（実スイープ方位）が変化することを防止する。
【００３８】
描画アドレス発生部７は、スイープの中心を開始番地として、中心から周囲に向かってスイープ方位θs と第１、第２スイープメモリ４ａ，４ｂの読み出し位置ｒから、対応する直交座標系で配列された画像メモリ８の画素を指定する番地を作成する。このスイープ方位θs は、後述するスイープ方位発生部１２で決定される描画スイープ方位で定義される。そして、この描画アドレス発生部７は、具体的には次式を実現するハードウェアにより構成される。
例えば、ノースアップ表示を行う場合、北方向を基準として、
Ｘ＝Ｘｓ＋ｒ・ｓｉｎθs 
Ｙ＝Ｙｓ＋ｒ・ｃｏｓθs 
ただし、
Ｘ，Ｙ：画像メモリの画素を指定する番地
Ｘｓ，Ｙｓ：スイープの中心番地
ｒ：中心からの距離
θs ：スイープ方位
描画タイミング発生部１０は、描画に必要な制御信号を発生し、スイープメモリ４、ラッチ回路６、描画アドレス発生部７、画像メモリ８、スイープデータ発生部１１、スイープ方位発生部１２に出力する。
【００３９】
画像メモリ８は、スイープ１回転分のスイープデータを画像データ（実スイープデータ＋補間スイープデータ）として記憶する容量を備える。この画像メモリ８では、図示されていない表示制御部により、表示器９がラスター走査されると、このラスター走査に同期して画像データが読み出され、表示器に出力される。
【００４０】
スイープ方位発生部１２は、本発明の補間スイープ方位算出手段に相当し、前回の実スイープ方位と今回の実スイープ方位とから、これらの間に形成する補間スイープの方位を発生する。
スイープ方位発生部１２は、具体的には、図２に示す等価回路図で示される回路からなり、図３に示すタイミングチャートに従い動作する。図２はスイープ方位発生部の等価回路図であり、図３はそのタイミングチャートを示す。
【００４１】
スイープトリガは、画像メモリ８のスイープ描画動作を起動するためのトリガ信号であり、スイープメモリ４における第１、第２スイープメモリ４ａ，４ｂのいずれかで実スイープデータの書き込み（記憶）が完了し、スイープデータ発生部１１に読み出すことが可能になった時点で発生する。このスイープトリガは、スイープ方位発生部１２の初段のＡＮＤゲートに入力されるとともに、ラッチ回路６にも入力される。
【００４２】
ＪＫＦ／Ｆ２１は、入力されたスイープトリガでセットされ、セット後で補間スイープが終了し、次の実スイープが起動する際（比較器２６からの実スイープ方位セレクト信号が入力される時点）にリセットされることで、補間スイープタイム信号を発生する。この補間スイープタイム信号は、信号値が「１」ならば、この期間のスイープは補間スイープであることを示し、信号値が「０」ならば、この期間のスイープは実スイープであることを示す。
【００４３】
ＡＮＤゲート２２は、ＪＫＦ／Ｆ２１からの補間スイープタイム信号が「１」で、且つＪＫＦ／Ｆ２３からのスイープタイム信号が「０」ならば、ＪＫＦ／Ｆ２３をセットするためのスイープスタート信号を発生する。なお、補間スイープタイム信号が「１」の期間であれば、一つのスイープ動作を完了すると次のスイープ動作を引き続き起動する。これにより、連続してスイープ動作を発生させる。
【００４４】
ＪＫＦ／Ｆ２３は、ＡＮＤゲート２２からのスイープスタート信号でセットされ、カウンタ２４からのスイープエンド信号でリセットされることにより、スイープタイム信号を発生し、ＡＮＤゲート２２、カウンタ２４およびスイープデータ発生部１１に出力する。このスイープタイム信号は、信号値が「１」ならばスイープ描画動作期間であることを示す。
【００４５】
カウンタ２４は、１スイープの描画動作時間をカウントするタイマであり、スイープスタート信号が入力されるとリセットしてカウントを開始する。そして、１スイープ分のカウント値に達するとスイープエンド信号を発生し、ＪＫＦ／Ｆ２３およびカウンタ２５に出力する。
【００４６】
カウンタ２５は、ＡＮＤゲート２２からのスイープスタート信号と、セレクタ２７からのスイープ方位とに基づいて、スイープスタート信号が入力された時点のスイープ方位をセットする。そして、カウンタ２４からのスイープエンド信号が入力されるとカウントを開始して、所定カウント値に達すると、次回の補間スイープ方位（予定補間スイープ方位）を発生する。
【００４７】
比較器２６は、ラッチ回路６から入力された実スイープのスイープ方位とカウンタ２５からの予定補間スイープ方位とを比較し、予定補間スイープ方位が実スイープ方位以上になった場合に補間スイープの終了を検出する。補間スイープの終了を検出すると、実スイープ方位セレクト信号をＡＮＤゲートを介してＪＦＫ／Ｋ２１に出力するとともに、セレクタ２７に出力する。また、この実スイープ方位セレクト信号は、スイープデータ発生部１１に出力される。
【００４８】
セレクタ２７は、比較器２６からの実スイープ方位セレクト信号に基づいて、信号値が「１」ならばラッチ回路６から入力される実スイープ方位を選択し、信号値が「０」ならばカウンタ２５からの予定補間スイープ方位を選択し、描画スイープ方位として描画アドレス発生部７に出力する。
【００４９】
ここで、前述の補間スイープ方位は、次に示す方法で算出される。
ある時点での実スイープ方位（今回の実スイープ方位）αが入力されると、この実スイープ方位αと前回の実スイープ方位βとを用いて、この間の補間スイープ方位を算出する。
具体的には、画像メモリの更新に必要なスイープ間の角度差δを画素数やスイープ半径等により予め設定しておく。
【００５０】
前回の実スイープ方位βから順に、補間スイープ方位は、β＋δ，β＋２δ，・・・，β＋ＮＮδとなる。この補間スイープ方位の算出は、前述のように、セレクタ２７とカウンタ２とのループでδを順次加算していくことにより実現される。そして、β＋Ｎδとなり、今回の実スイープ方位α以上になると、補間スイープ方位の算出が次の実スイープ方位が入力されるまで停止される。そして、この動作を繰り返すことで、全周囲の描画スイープ方位を得ることができる。
【００５１】
この場合、今回の実スイープと前回の実スイープとの間を補間スイープで分割する分割数Ｎは、
Ｎ＝｜α−β｜／δ
となる。このため、前回の実スイープと今回の実スイープとの間の補間スイープの本数はＮＮは、
ＮＮ＝Ｎ−１
となる。
【００５２】
このような構成とすることで、隣り合う実スイープ間の補間スイープの数および方位が、これら隣り合う実スイープの両方の方位および方位差に基づいて適宜算出される。
【００５３】
スイープデータ発生部１１は、本発明のスイープデータ形成終段に相当し、スイープメモリ４の第１、第２スイープメモリ４ａ，４ｂからの実スイープデータとスイープ方位発生部１２からの実スイープ方位セレクト信号およびスイープタイム信号とを入力して、実スイープデータと隣り合う実スイープデータ間を補間する補間スイープデータとを発生して、画像メモリ８に出力する。
【００５４】
スイープデータ発生部１１は、具体的には、図４に示す等価回路図で示される回路からなる。図４はスイープデータ発生部の等価回路図である。
【００５５】
孤立除去部３１は、本発明の補正スイープ形成手段に相当し、スイープメモリ４から入力された実スイープデータの距離方向に孤立するデータを検出して除去し、孤立除去実スイープデータを発生する。この動作は、スイープメモリ４に実スイープデータが記憶された後、読み出される毎に行う。具体的には、第１スイープメモリ４ａに実スイープデータが記憶された後は、この第１スイープメモリ４ａに記憶された実スイープデータを読み出して、孤立除去処理を行い、その後、第２スイープメモリ４ｂが記憶された後は、この第２スイープメモリ４ｂに記憶されたスイープデータを読み出して孤立除去処理を行う。なお、孤立データは、図５に示すように、所定閾値以上のデータの距離方向の前後の所定範囲（ｎ１，ｎ２）に前記閾値未満のデータしか存在しないデータで定義されている。
【００５６】
ここで、孤立除去部３１は、具体的には、図６に示す等価回路図で示される回路からなる。
図６は孤立除去部３１の等価回路図である。
また、図７は孤立除去動作のタイミングチャートである。図７において、Ｄ１〜Ｄ１２は同一スイープ上のデータであり、Ｄ１から順に中心から離れていく方向のデータを示す。また、ｍｉｎ（Ｄａ，Ｄｂ）はスイープデータＤａ，Ｄｂのうち小さい方を示す。なお、以下の説明では、この孤立除去部３１は、着目するデータの前後に隣り合うそれぞれ一つのデータを距離方向孤立の基準にした場合の回路である。
ＤＦＦ３０１，３０２は、スイープメモリ４から読み出したデータを距離方向に対して１クロックずつシフトさせる。ここで、読み出して遅延操作を行わないデータをＤＡとし、１クロック遅延させたデータをＤＢとし、さらに１クロック遅延させたデータをＤＣとすると、ＤＦＦ３０１はデータＤＢをセレクタ３０６に出力し、ＤＦＦ３０２はデータＤＣを比較器３０４、比較器３０６およびセレクタ３０７に出力する。
【００５７】
比較器３０３は、データＤＡと予め設定した閾値とを比較し、ＤＡが閾値以上であれば、検出信号「１」をＯＲゲート３０５に出力する。
【００５８】
比較器３０４は、データＤＣと前記閾値とを比較し、ＤＣが閾値以上であれば、検出信号「１」をＯＲゲート３０５に出力する。
【００５９】
ＯＲゲート３０５は、入力される二つの検出信号に基づいて、いずれかが「１」ならば、選択信号「１」をセレクタ３０８に出力する。
【００６０】
比較器３０６は、データＤＡとデータＤＣとを比較し、データＤＡの方が大きければ検出信号「１」をセレクタ３０７に出力する。
【００６１】
セレクタ３０７は、データＤＡ，ＤＣを入力し、比較器３０６から検出信号「１」が入力されればデータＤＣをセレクタ３０８に出力し、検出信号「０」が入力されればデータＤＡをセレクタ３０８に出力する。
【００６２】
セレクタ３０８は、セレクタ３０７からデータＤＡまたはＤＣの小さい方を入力するとともにデータＤＢを入力し、ＯＲゲート３０５から、選択信号「１」が入力されればデータＤＢを出力し、そうでなければ、セレクタ３０７で選択されたデータＤＡまたはＤＣを出力する。
【００６３】
このような構成とすることで、注目するデータＤＢの前後のデータＤＡ，ＤＣが所定閾値以上であるかを確認し、いずれかが閾値以上であれば、データＤＢは距離方向に孤立していないので、そのまま出力される。一方、両方が閾値未満であれば、データＤＢは距離方向に孤立しているので、データＤＢではなくデータＤＡかＤＣの小さい方が出力される。このようにして、距離方向に孤立除去された実スイープデータ（孤立除去実スイープデータ）が線形補間データ発生部３４、実スイープ方位メモリ３３およびセレクタ３５に出力される。
【００６４】
ここで、例えば、図８に示すような、実スイープデータが読み出された場合の孤立除去処理について説明する。
【００６５】
図８は孤立除去処理の内容を示すデータ構成図であり、（ａ）は孤立除去処理前のデータ構成図、（ｂ）は孤立除去処理後のデータ構成図、（ｃ）はこれらのデータに基づいて補間スイープデータを後述する線形補間処理により生成し画像メモリ８に記憶した状態のデータ構成図を示す。なお、この図では、前記閾値を「１」とした場合を示す。
【００６６】
図８（ａ）に示すようなスイープデータでは、実スイープθm のデータＤα1 と実スイープθn のデータＤα2 とが孤立データとなる。このため、これらデータＤα1 ，Ｄα2 を孤立除去処理して、図８（ｂ）に示すように、距離方向に隣り合うスイープデータの小さい方のデータ「０」に置き換える。このデータ構成に基づいて、後述する線形補間処理で隣り合う実スイープデータ間の補間スイープデータを生成する。これにより、実際に画像メモリ８に記憶されるデータは、図８（ｃ）に示す構成となる。このような構成とすることで、ノイズのような距離方向に孤立するデータによるスイープデータ（実スイープデータおよび補間スイープデータ）への影響を抑制することができ、不必要にノイズが強調されることのない探知画像を得ることができる。
【００６７】
スイープメモリ３３は、ＡＮＤゲート３２を介して入力される実スイープ方位セレクト信号に基づいて、実スイープ方位選択時に、孤立除去部３１からの孤立除去実スイープデータを記憶する。
【００６８】
線形補間データ発生部３４は、本発明の補正補間スイープデータ算出手段に相当し、孤立除去部３１で今回のスイープデータから生成した孤立除去実スイープデータ（今回の孤立除去実スイープデータ）と、スイープメモリ３３に記憶されている前回の実スイープデータから生成した孤立除去実スイープデータ（前回の孤立除去実スイープデータ）とを入力し、線形補間処理を行う。このように、線形補間処理を行って、補間スイープデータを発生して、セレクタ３５に出力する。
【００６９】
ここで、線形補間データ発生部３４は、具体的には、図９に示す等価回路図で示される回路からなる。
図９は線形補間データ発生部３４の等価回路図である。
ＤＦＦ４０１は、ラッチ回路６から入力された実スイープ方位をスイープトリガの入力周期に基づいて遅延させて減算器４０２に出力する。
【００７０】
減算器４０２は、ラッチ回路６から入力された今回の実スイープ方位θn と、ＤＦＦ４０１で遅延された前回の実スイープ方位θm とを入力し、減算処理（θn −θm ）を行い、補間データ本数発生部４０３に出力する。
【００７１】
補間データ本数発生部４０３では、予め設定された画像メモリ８の更新に必要なスイープ間の角度差であるスイープ方位差δと、減算器４０２から入力された実スイープ方位の差分（θn −θm ）とに基づいて、実スイープ間の補間スイープによる分割数Ｎ、および補間スイープ本数ＮＮを
Ｎ＝（θn −θm ）／δ
ＮＮ＝Ｎ−１
から算出し、補間データ差分値発生部４０５に出力する。
【００７２】
減算器４０４は、今回の実スイープ（θn ）の孤立除去実スイープデータ（ａ）と、前回の実スイープ（θm ）の孤立除去実スイープデータ（ｂ）とを入力し、減算処理（ａ−ｂ）を行い、補間データ差分値発生部４０５に出力する。
【００７３】
補間データ差分値発生部４０５は、補間データ本数発生部４０３から入力された分割数Ｎと、減算器４０４から入力されたデータ差分値（ａ−ｂ）とを用いて、補間スイープデータ間の差分値ΔＤを、
ΔＤ＝（ａ−ｂ）／Ｎ
から算出し、加算器４０８に出力する。
【００７４】
セレクタ４０６は、前回の孤立除去実スイープデータ（ｂ）と、加算器４０８から出力される補間スイープデータとを入力し、実スイープ方位セレクト信号が入力されていれば、前回の孤立除去実スイープデータ（ｂ）をスイープメモリ４０７に出力し、実スイープ方位セレクト信号が入力されなければ、加算器４０８からの補間スイープデータをスイープメモリ４０７に出力する。
【００７５】
スイープメモリ４０７は、１スイープ分の記憶容量を備え、前回の孤立除去実スイープデータ（ｂ）または補間スイープデータを記憶し、次に加算器４０８で補関スイープデータを形成する際に、記憶しているデータを加算器４０８に出力する。
【００７６】
このような構成とすることで、前回の実スイープから今回の実スイープまでの間、ｂ＋ΔＤ，ｂ＋２ΔＤ，・・・，ｂ＋ＮＮΔＤの補関スイープデータが形成される。
【００７７】
セレクタ３５は、実スイープ方位セレクト信号に基づいて、信号値が「１」ならば孤立除去部３１から入力された孤立除去実スイープデータを出力し、信号値が「０」ならば線形補間データ発生部３４からの補間スイープデータを出力する。
【００７８】
次に、このレーダ装置の全体の動作について、図１０を参照して説明する。
図１０は、本実施形態のレーダ装置のタイミングチャートである。
送信トリガは電波の送信タイミングを与えるトリガ信号であり、第１スイープメモリ４ａと第２スイープメモリ４ｂとは、この送信トリガにより、実スイープデータの書き込みを交互に行う。すなわち、図に示すように、まず第１スイープメモリ４ａに実スイープデータＢが書き込まれ、次の送信トリガで第２スイープメモリ４ｂに実スイープデータＣが書き込まれ、さらに次の送信トリガで第１スイープメモリ４ａに実スイープデータＤが書き込まれる。また、この時点のスイープ方位θが加算器５に出力され、ラッチ回路６でラッチされてスイープ方位発生部１２に入力される。
【００７９】
スイープタイム信号は、前述のスイープトリガにより、スイープ方位発生部１２で発生し、スイープデータ発生部１１は、このスイープタイム信号に基づき第１スイープメモリ４ａ、または第２スイープメモリ４ｂから記憶されいている実スイープデータを読み出す。すなわち、実スイープデータＢの第１スイープメモリ４ａへの書き込みが完了した後の、最初のスイープトリガで発生するスイープタイムで、スイープデータ発生部１１は、第１スイープメモリ４ａから実スイープデータＢを読み出し、前述の孤立除去処理を行う。そして、次に、第２スイープメモリ４ｂに実スイープデータＣの書き込みが完了すると、スイープデータ発生部１１は実スイープデータＣを読み出し、前述の孤立除去処理を行う。
【００８０】
スイープ方位発生部１２は、今回の実スイープのスイープ方位θn+3 と前回の実スイープのスイープ方位θn との角度から、前述の方法で補間スイープθn+1 ，θn+2 のスイープ方位を算出する。
【００８１】
具体的には、隣り合う実スイープの方位がθn ，θm であり、画像メモリ８の更新に必要なスイープ間の最大化角度差をδとし、θn とθm との差の絶対値｜θn −θm ｜がｎ本分の補間スイープに相当する
（ｎ・δ＜｜θn −θm ｜≦（ｎ＋１）・δ）
となる場合、描画アドレス発生部７に実スイープ方位θｍを与えた後、補間スイープ方位として、θm ＋δ、θm ＋２δの順で、θm ＋ｎδを与えた後、実スイープ方位θn を与える。図１０に示す例では、実スイープ方位θｎを与えた後、補間スイープ方位θn+1 ，θn+2 を与え、その後実スイープ方位θn+3 を与える。そして、次の実スイープ方位θn+5 が入力されるまで、スイープ方位の発生動作は停止し、実スイープ方位θn+5 が入力されると、同様に、補間スイープ方位θn+4 と実スイープ方位θn+5 が順に描画スイープ方位として与えられる。
【００８２】
また、スイープ方位発生部１２は、この描画スイープ方位とともに、実スイープ方位セレクト信号をスイープデータ発生部１１に与える。
【００８３】
スイープデータ発生部１１は、実スイープセレクト信号が「０」の状態にある時には、スイープメモリ４から読み出した前回の実スイープデータの孤立除去データと今回の実スイープデータの孤立除去データとを用いて線形補間処理を行い、補間スイープデータとして画像メモリ８に出力する。一方、実スイープ方位セレクト信号が「１」の状態にある時、孤立除去実スイープデータを画像メモリ８に出力する。
【００８４】
図１０に示す例では、第２スイープメモリ４ｂへの書き込みが終了した直後のスイープタイムでは、実スイープセレクト信号は「０」であるので、スイープデータ発生部１１は、第２スイープメモリ４ｂから実スイープデータＣを読み出し、孤立除去処理して孤立除去実スイープデータＣ’を生成する。そして、スイープメモリ３３から前回の孤立除去処理した実スイープデータＢ’を読み出し孤立除去実スイープデータＢ’，Ｃ’から線形補間処理を行い、補間スイープデータＢＣ１（＝Ｂ’＋（Ｃ’−Ｂ’）／３），ＢＣ２（＝Ｂ’＋２（Ｃ’−Ｂ’）／３）を生成して画像メモリ８に出力する。この時点で、画像メモリ８には、描画アドレス発生部７から、補間スイープ方位θn+1 ，θn+2 が順に入力されているので、この補間スイープ方位θn+1 ，θn+2 と、補間スイープデータＢＣ１，ＢＣ２とに基づいて、画像メモリ８に書き込みが行われる。
【００８５】
次に、実スイープセレクト信号が「１」となった後のスイープタイムでスイープデータ発生部１１は、孤立除去実スイープデータＣ’を画像メモリ８に出力する。この時点で、画像メモリ８には、描画アドレス発生部７から、実スイープ方位θn+3 が入力されているので、この実スイープ方位θn+3 と、孤立除去実スイープデータＣ’とに基づいて、画像メモリ８に書き込みを行うとともに、スイープメモリ３３に記憶し、次に実スイープデータＤが入力され、孤立除去スイープデータＤ’が生成された時点での補間スイープデータの生成に使用する。
【００８６】
次に、第１スイープメモリ４ａに実スイープデータＤが記憶され、読み出しが可能になった時点で、スイープタイム信号が発生するとスイープデータ発生部１１は、第１スイープメモリ４ａから実スイープデータＤを読み出すとともに、スイープメモリ３３から孤立除去実スイープデータＣ’を読み出す。そして、実スイープデータＤを孤立除去処理して
孤立除去実スイープデータＤ’を生成し、孤立除去実スイープデータＣ’，Ｄ’とから線形補間処理を行い、補間スイープデータＣＤ（＝Ｃ’＋（Ｄ’−Ｃ’）／２）を生成して画像メモリ８に出力する。
【００８７】
一方、スイープ方位発生部１２には、実スイープ方位θn+5 が入力されると、前述の方法を用いて、補間スイープ方位θn+4 が生成されて描画アドレス発生部７に出力される。描画アドレス発生部７は、入力された補間スイープ方位θn+4 に基づき画像メモリ８に補間スイープデータＣＤを記憶する画素の番地を指定する。画像メモリ８はこの番地に従い、補間スイープデータＣＤを記憶する。次に、スイープデータ発生部１１は、実スイープ方位セレクト信号が「１」となると、孤立除去実スイープデータＤ’を画像メモリ８に出力する。この時点で、画像メモリ８には描画アドレス発生部７から実スイープ方位θn+5 に基づく番地が指定されており、この番地に従い孤立除去実スイープデータＤ’を描画する。なお、スイープデータ発生部１１は、孤立除去実スイープデータＤ’を画像メモリ８に出力するともにスイープメモリ３３に記憶させる。
【００８８】
このような動作を行うことで、表２に示すように画像メモリ８に孤立除去実スイープデータおよび補間スイープデータが記憶される。
【００８９】
【表２】
2005077213.tif 000004
【００９０】
そして、この動作を繰り返し行うことで、スイープ１回転に亘り、補間スイープが確実に形成される。
【００９１】
このような構成とすることで、実スイープ間の補間スイープが確実に生成され、全周囲に亘り、全てのスイープが更新されるので、前回のスイープデータと今回のスイープデータとが混在することを防止できる。
【００９２】
また、補間スイープデータを隣り合う実スイープデータの線形補間により生成することで、物標等の探知画像内で急激に表示状態（輝度等）が変化せず、段階的に変化するので、オペレータにとって見やすい探知画像を提供することができる。
【００９３】
また、ノイズ等の孤立するスイープデータが補間スイープデータに反映されないので、ノイズが不必要に強調された探知画像となることを防止できる。
【００９４】
これらの効果を図示すると、図１１〜図１３に示す画像となる。
【００９５】
図１１は、スイープ一回転における実スイープと補間スイープとの構成図を示す。この図に示すように、実スイープの間隔に影響されず、スイープ一回転に亘り実スイープと補間スイープとを形成することができるので、今回のスイープの回転の画像と前回のスイープ回転の画像とが混在することがない。
【００９６】
図１２（ａ）〜（ｆ）は探知画像の構成図である。ここで、（ａ）は実際の受信データを数値化した画像構成図であり、（ｂ）は（ａ）の数値に応じて輝度を変化させた画像の構成図を示す。また、（ｃ）は本発明の処理を用いた場合の画像データを数値化した画像構成図であり、（ｄ）は（ｃ）の数値に応じて輝度を変化させた画像の構成図を示す。さらに、（ｅ）は従来の処理を用いた場合の画像データを数値化した画像構成図であり、（ｆ）は（ｅ）の数値に応じて輝度を変化させた画像の構成図を示す。なお、（ｂ），（ｄ），（ｆ）では画素の濃度が濃くなるほど輝度が高くなることを示している。これらの図に示すように、従来のレーダ装置では探知画像が急激に変化しているのに対し、本発明のレーダ装置では探知画像が段階的に変化するので、オペレータに見やすい探知画像が提供される。
【００９７】
図１３（ａ）〜（ｆ）も探知画像の構成図である。ここで、（ａ）は実際の受信データを数値化した画像構成図であり、（ｂ）は（ａ）の数値に応じて輝度を変化させた画像の構成図を示す。また、（ｃ）は本発明の処理を用いた場合の画像データを数値化した画像構成図であり、（ｄ）は（ｃ）の数値に応じて輝度を変化させた画像の構成図を示す。さらに、（ｅ）は従来の処理を用いた場合の画像データを数値化した画像構成図であり、（ｆ）は（ｅ）の数値に応じて輝度を変化させた画像の構成図を示す。なお、（ｂ），（ｄ），（ｆ）では画素の濃度が濃くなるほど輝度が高くなることを示している。これらの図に示すように、従来のレーダ装置ではノイズ等の孤立する実スイープデータが補間スイープデータにより強調されてしまうが、本発明のレーダ装置では孤立した実スイープは表示されず、さらにこの実スイープに対応する補関スイープデータも表示されない。これにより、不要なノイズ等の表示、さらにはこのノイズの強調表示が防止され、さらに、オペレータに見やすい探知画像が提供される。
【００９８】
なお、前述の実施形態では、補間スイープデータに、これらの補間スイープを挟んで隣り合う実スイープデータの線形補間値を用いたが、補間スイープデータに、これらの補間スイープを挟んで隣り合う実スイープデータの平均値を用いてもよい。さらには、線形補間ではなく隣り合う実スイープのデータ値の間の値で徐々に変化する値を用いてもよい。
【００９９】
また、前述の実施形態では、実スイープ方位のデータに孤立除去実スイープデータを用いたが、実スイープ方位のデータに孤立除去処理前の実スイープデータを用いてもよい。
【０１００】
また、前述の実施形態では、距離方向の孤立除去処理を行ったが、方位方向にも孤立除去処理を行ってもよい。
【０１０１】
また、前述の実施形態では、レーダ装置について説明したが、全周囲方向に探知信号を送受信して探知画像を得る他の装置についても、前述の構成を適用することができ、前述の効果を奏することができる。
【図面の簡単な説明】
【０１０２】
【図１】本実施形態に係るレーダ装置の主要部の構成を表すブロック図
【図２】スイープ方位発生部１２の等価回路図
【図３】スイープ方位発生部１２のタイミングチャート
【図４】スイープデータ発生部の等価回路図
【図５】孤立データの基準を示す説明図
【図６】孤立除去部３１の等価回路図
【図７】孤立除去動作のタイミングチャート
【図８】孤立除去処理の内容を示すデータ構成図
【図９】線形補間データ発生部３４の等価回路図
【図１０】本実施形態に係るレーダ装置のタイミングチャート
【図１１】本実施形態に係るレーダ装置によるスイープ一回転における実スイープと補間スイープとの構成図
【図１２】探知画像の構成図
【図１３】探知画像の構成図
【図１４】従来のレーダ装置の主要部の構成を表すブロック図
【図１５】従来のレーダ装置のタイミングチャート
【図１６】従来のレーダ装置による画像データのスイープ構成図
【図１７】従来のレーダ装置による探知画像の構成図
【図１８】従来のレーダ装置による探知画像の構成図
【符号の説明】
【０１０３】
１−アンテナ
２−受信部
３−ＡＤ変換部
４，４ａ，４ｂ，３３−スイープメモリ
５−加算器
６−ラッチ回路
７−描画アドレス発生部
８−画像メモリ
９−表示器
１０−描画タイミング発生部
１１−スイープデータ発生部
１２−スイープ方位発生部
２０−コンパス
３１−距離方向孤立除去部
３４−線形補間データ発生部
４０３−補間データ本数発生部
４０５−補間データ差分値発生部
【図１】
2005077213.tif 000005
【図２】
2005077213.tif 000006
【図３】
2005077213.tif 000007
【図４】
2005077213.tif 000008
【図５】
2005077213.tif 000009
【図６】
2005077213.tif 000010
【図７】
2005077213.tif 000011
【図８】
2005077213.tif 000012
【図９】
2005077213.tif 000013
【図１０】
2005077213.tif 000014
【図１１】
2005077213.tif 000015
【図１２】
2005077213.tif 000016
【図１３】
2005077213.tif 000017
【図１４】
2005077213.tif 000018
【図１５】
2005077213.tif 000019
【図１６】
2005077213.tif 000020
【図１７】
2005077213.tif 000021
【図１８】
2005077213.tif 000022